(57)【要約】【課題】  読み取り専用メモリと書き換え可能メモリを命令メモリとするプロセッサを有し、書き換え可能メモリに記憶する命令のモジュールを書き換える情報処理装置において、書き換え可能メモリの記憶容量を増加させることなく、読み取り専用メモリの記憶容量を小さくすることができる情報処理装置を提供する。【解決手段】  初期化命令を分割した初期化命令列群７００を第一命令記憶手段１００に記憶させ、初期化時に、第一命令記憶手段１００から第三命令記憶手段３００へ初期化命令列を順次転送してプロセッサ４００に実行させる。このようにすれば、書き換え可能メモリである第三命令記憶手段３００の記憶容量を増加させることなく、外部メモリである第一命令記憶手段１００に初期化命令を記憶させることができ、読み取り専用メモリである第二命令記憶手段２００の記憶容量を小さくすることができる。【選択図】  図１
2005038174.tif 000002
【特許請求の範囲】
【請求項１】
命令列を実行して周辺回路を制御する処理回路と、
前記周辺回路の初期化時に前記処理回路により実行される初期化命令列群および前記周辺回路の初期化後に前記処理回路により実行される第一命令列を記憶する第一命令記憶手段と、
前記周辺回路の初期化後に前記処理回路により実行される第二命令列を記憶する第二命令記憶手段と、
前記第一命令記憶手段から各初期化命令列と第一命令列が転送される第三命令記憶手段と、
初期化時に、前記第一命令記憶手段から前記第三命令記憶手段へ初期化命令列を順次転送して前記処理回路に実行させ、すべての初期化命令列の実行完了後、前記第一命令記憶手段から前記第三命令記憶手段へ第一命令列を転送して前記第二命令記憶手段が記憶する第二命令列とともに前記処理回路に実行させる制御手段と
を備えることを特徴とする情報処理装置。
【請求項２】
各初期化命令列のデータ量を第一命令列のデータ量と等しくする、あるいは第一命令列のデータ量より小さくすることを特徴とする請求項１記載の情報処理装置。
【請求項３】
請求項１もしくは２のいずれかに記載の情報処理装置であって、前記周辺回路の任意の機能を選択する情報を前記制御手段へ入力する情報入力手段を備え、前記制御手段が、前記情報入力手段から入力された情報を基に、前記第一命令記憶手段が記憶する初期化命令列群の中から、前記周辺回路の選択された機能を実行するのに必要な初期化命令列を選択して前記処理回路に実行させることを特徴とする情報処理装置。
【請求項４】
請求項１乃至３のいずれかに記載の情報処理装置を適用した集積回路であって、前記第一命令記憶手段を外部メモリとし、前記第二命令記憶手段を内部の読み取り専用メモリとし、前記第三命令記憶手段を内部の書き換え可能メモリとすることを特徴とする集積回路。
【発明の詳細な説明】
【技術分野】
【０００１】
本発明は、読み取り専用メモリと書き換え可能メモリとを命令メモリとする処理回路を有し、書き換え可能メモリに記憶する命令のモジュールを書き換える情報処理装置、およびそれを適用した集積回路に関する。
【背景技術】
【０００２】
従来、読み取り専用メモリと書き換え可能メモリとを命令メモリとする処理回路を有し、書き換え可能メモリに記憶する命令のモジュールを書き換える情報処理装置があった（例えば、特許文献１参照。）。
【０００３】
このような情報処理装置をシステムＬＳＩ（大規模集積回路）で実現する場合、図５に示すように、システムＬＳＩ内部に読み取り専用メモリ（ＲＯＭ）３００１と、書き換え可能メモリ（ＲＡＭ）３００２と、これらのメモリを命令メモリとする処理回路としてのプロセッサ３００４を設けるとともに、システムＬＳＩ外部に外部メモリ３０００を設け、システムＬＳＩ内部の制御手段３００５により、外部メモリ３０００が記憶する命令列を書き換え可能メモリ３００２へ転送させることで、書き換え可能メモリに記憶する命令のモジュールを書き換えていた。
【０００４】
このように情報処理装置をシステムＬＳＩで実現すれば、システムＬＳＩで使用する命令列を外部メモリに記憶させることができるので、システムＬＳＩ内部のメモリの記憶容量を小さくすることができ、システムＬＳＩの面積を削減でき、コストを抑えることができる。
【０００５】
一方、外部メモリに必要な記憶容量は増加するが、外部メモリの市場価格が低下していることや、システムＬＳＩ以外の周辺システムと外部メモリを共有することで、システム全体のコストを抑えることができる。
【０００６】
さらに、読み取り専用メモリに記憶した命令列は変更が不可能であるが、フラッシュメモリのように書き換え可能な外部メモリに命令列を記憶させることによって、命令列の変更が可能となる。
【０００７】
しかしながら、このように情報処理装置をシステムＬＳＩで実現した場合、周辺回路を初期化するための初期化命令列をどのメモリに保持させるのかが問題となる。すなわち、図６に示すように、読み取り専用メモリ３００１に初期化命令３００３を記憶させると、初期化命令３００３の実効終了後、その領域が冗長な領域になるという問題があった。
【０００８】
また、この問題を解決するために、図７に示すように外部メモリ３０００に初期化命令３００３を記憶させておき、初期化時に書き換え可能メモリ３００２へ転送するようにすると、初期化命令のデータ量が大きい場合に、書き換え可能メモリの記憶容量も増加させなければならないという問題があった。
【特許文献１】特開平１１−２６５２８３号公報
【発明の開示】
【発明が解決しようとする課題】
【０００９】
本発明は、上記問題点に鑑み、初期化後に実行される命令列（第一命令列）と初期化命令を分割した初期化命令列群を第一命令記憶手段に記憶しておき、初期化時に、第一命令記憶手段から第三命令記憶手段へ初期化命令列を順次転送して処理回路に実行させることにより、第三命令記憶手段の記憶容量を上記第一命令列のデータ量より大きくせずに済む情報処理装置、およびそれを適用した集積回路を提供することを目的とする。この情報処理装置をシステムＬＳＩで実現する場合、第一命令記憶手段である外部メモリに第一命令列と初期化命令列群を記憶させ、初期化時に、外部メモリから第三命令記憶手段である書き換え可能メモリへ初期化命令列を順次転送して、処理回路であるプロセッサに実行させることになるので、書き換え可能メモリの記憶容量を増加させることなく初期化命令を外部メモリに記憶させることができるようになる。よって、第二命令記憶手段である読み取り専用メモリの記憶容量を小さくすることができ、システムＬＳＩの面積を削減でき、コストを抑えることができるようになる。
【００１０】
また、各初期化命令列のデータ量を第一命令列のデータ量と等しくする、あるいは第一命令列のデータ量よりも小さくすることにより、第一命令記憶手段から第三命令記憶手段へのデータ転送量およびデータ転送回数を最適化でき、初期化にかかる時間を抑えることができる情報処理装置、およびそれを適用した集積回路を提供することを目的とする。この情報処理装置をシステムＬＳＩで実現すれば、第一命令記憶手段である外部メモリから第三命令記憶手段である書き換え可能メモリへのデータ転送量およびデータ転送回数を最適化でき、処理回路であるプロセッサにより制御される周辺回路の初期化にかかる時間を抑えることができるようになる。
【００１１】
また、周辺回路が有する機能のうちの選択された機能を実行するのに必要な初期化命令列を選択できるようにすることにより、実行の必要がない初期化命令列を第三命令記憶手段へ転送することを省略でき、初期化にかかる時間を削減することができる情報処理装置、およびそれを適用した集積回路を提供することを目的とする。この情報処理装置をシステムＬＳＩで実現すれば、実行の必要がない初期化命令列を第三命令記憶手段である書き換え可能メモリへ転送せずに済むようになるので、処理回路であるプロセッサにより制御される周辺回路の初期化にかかる時間を削減することができるようになり、特に、初期化命令のデータ量が大きい場合に有効である。
【課題を解決するための手段】
【００１２】
本発明の請求項１記載の情報処理装置は、命令列を実行して周辺回路を制御する処理回路と、前記周辺回路の初期化時に前記処理回路により実行される初期化命令列群および前記周辺回路の初期化後に前記処理回路により実行される第一命令列を記憶する第一命令記憶手段と、前記周辺回路の初期化後に前記処理回路により実行される第二命令列を記憶する第二命令記憶手段と、前記第一命令記憶手段から各初期化命令列と第一命令列が転送される第三命令記憶手段と、初期化時に、前記第一命令記憶手段から前記第三命令記憶手段へ初期化命令列を順次転送して前記処理回路に実行させ、すべての初期化命令列の実行完了後、前記第一命令記憶手段から前記第三命令記憶手段へ第一命令列を転送して前記第二命令記憶手段が記憶する第二命令列とともに前記処理回路に実行させる制御手段とを備えることを特徴とする。
【００１３】
このように第一命令記憶手段に第一命令列と初期化命令列群を記憶しておき、第一命令記憶手段から第三命令記憶手段へ初期化命令列を順次転送して処理回路に実行させるので、第三命令記憶手段の記憶容量を第一命令列のデータ量より大きくせずに済む。したがって、この情報処理装置をシステムＬＳＩで実現する場合、第一命令記憶手段である外部メモリに第一命令列と初期化命令列群とを記憶させ、第三命令記憶手段である書き換え可能メモリへ初期化命令列を順次転送して、処理回路であるプロセッサに実行させることになるので、書き換え可能メモリの記憶容量を増加させることなく初期化命令を外部メモリに記憶させることができるようになる。よって、第二命令記憶手段である読み取り専用メモリの記憶容量を小さくすることができ、システムＬＳＩの面積を削減でき、コストを抑えることができるようになる。
【００１４】
また、本発明の請求項２記載の情報処理装置は、請求項１記載の情報処理装置であって、各初期化命令列のデータ量を第一命令列のデータ量と等しくする、あるいは第一命令列のデータ量より小さくすることを特徴とする。
【００１５】
このように初期化命令を分割すれば、第一命令記憶手段から第三命令記憶手段へのデータ転送量およびデータ転送回数を最適化でき、初期化にかかる時間を抑えることができる。したがって、この情報処理装置をシステムＬＳＩで実現すると、第一命令記憶手段である外部メモリから第三命令記憶手段である書き換え可能メモリへのデータ転送量およびデータ転送回数を最適化でき、処理回路であるプロセッサにより制御される周辺回路の初期化にかかる時間を抑えることができるようになる。
【００１６】
また、本発明の請求項３記載の情報処理装置は、請求項１もしくは２のいずれかに記載の情報処理装置であって、前記周辺回路の任意の機能を選択する情報を前記制御手段へ入力する情報入力手段を備え、前記制御手段が、前記情報入力手段から入力された情報を基に、前記第一命令記憶手段が記憶する初期化命令列群の中から、前記周辺回路の選択された機能を実行するのに必要な初期化命令列を選択して前記処理回路に実行させることを特徴とする。
【００１７】
このように周辺回路が有する機能のうちの選択された機能を実行するのに必要な初期化命令列を選択できるようにすれば、実行の必要がない初期化命令列を第三命令記憶手段へ転送することを省略でき、初期化にかかる時間を削減することができる。したがって、この情報処理装置をシステムＬＳＩで実現すると、実行の必要がない初期化命令列を第三命令記憶手段である書き換え可能メモリへ転送せずに済むようになるので、処理回路であるプロセッサにより制御される周辺回路の初期化にかかる時間を削減することができるようになる。
【００１８】
また、本発明の請求項４記載の集積回路は、請求項１乃至３のいずれかに記載の情報処理装置を適用した集積回路であって、前記第一命令記憶手段を外部メモリとし、前記第二命令記憶手段を内部の読み取り専用メモリとし、前記第三命令記憶手段を内部の書き換え可能メモリとすることを特徴とする。
【発明の効果】
【００１９】
以上のように、本発明によれば、初期化後に実行される第一命令列と初期化命令を分割した初期化命令列群を第一命令記憶手段に記憶しておき、初期化時に、第一命令記憶手段から第三命令記憶手段へ初期化命令列を順次転送して処理回路に実行させるので、第三命令記憶手段の記憶容量を第一命令列のデータ量より大きくせずに済む。したがって、この情報処理装置を例えばシステムＬＳＩのような集積回路で実現する場合、第一命令記憶手段である外部メモリに第一命令列と初期化命令列群を記憶させ、初期化時に、外部メモリから第三命令記憶手段である書き換え可能メモリへ初期化命令列を順次転送して、処理回路であるプロセッサに実行させることになるので、書き換え可能メモリの記憶容量を増加させることなく初期化命令を外部メモリに記憶させることができるようになる。よって、第二命令記憶手段である読み取り専用メモリの記憶容量を小さくすることができ、システムＬＳＩの面積を削減でき、コストを抑えることができるようになる。
【００２０】
また、各初期化命令列のデータ量を第一命令列のデータ量と等しくする、あるいは第一命令列のデータ量よりも小さくすることで、第一命令記憶手段から第三命令記憶手段へのデータ転送量およびデータ転送回数を最適化でき、初期化にかかる時間を抑えることができる。したがって、この情報処理装置を例えばシステムＬＳＩのような集積回路で実現すると、第一命令記憶手段である外部メモリから第三命令記憶手段である書き換え可能メモリへのデータ転送量およびデータ転送回数を最適化でき、処理回路であるプロセッサにより制御される周辺回路の初期化にかかる時間を抑えることができるようになる。
【００２１】
また、周辺回路が有する機能のうちの選択された機能を実行するのに必要な初期化命令列を選択できるようにするので、実行の必要がない初期化命令列を第三命令記憶手段に転送することを省略でき、初期化にかかる時間を削減することができる。したがって、この情報処理装置を例えばシステムＬＳＩのような集積回路で実現すると、実行の必要がない初期化命令列を第三命令記憶手段である書き換え可能メモリへ転送せずに済むようになるので、処理回路であるプロセッサにより制御される周辺回路の初期化にかかる時間を削減することができるようになり、特に、初期化命令のデータ量が大きい場合に有効である。
【発明を実施するための最良の形態】
【００２２】
以下、本発明の実施の形態について図面を参照しながら説明する。
（実施の形態１）
以下、本実施の形態１について図１、図２を参照しながら説明する。図１は本実施の形態１に係る情報処理装置の一構成例を示すブロック図である。
【００２３】
図１において、１００は第一命令記憶手段である。第一命令記憶手段１００は、後述するプロセッサにより実行される命令列を記憶する。また、情報処理装置をシステムＬＳＩで実現した場合、第一命令記憶手段１００はシステムＬＳＩ外部のメモリとなり、例えばフラッシュメモリで実現される。
【００２４】
２００は第二命令記憶手段である。第二命令記憶手段２００は、後述するプロセッサにより実行される命令列を記憶する。また、情報処理装置をシステムＬＳＩで実現した場合、第二命令記憶手段２００はシステムＬＳＩ内部の読み取り専用メモリとなり、例えばＲＯＭで実現される。
【００２５】
３００は第三命令記憶手段である。第三命令記憶手段３００は、後述するプロセッサにより実行される命令列を記憶する。この第三命令記憶手段３００へは第一命令記憶手段１００が記憶する命令列が転送される。また、情報処理装置をシステムＬＳＩで実現した場合、第三命令記憶手段３００はシステムＬＳＩ内部の書き換え可能メモリとなり、例えばＲＡＭで実現される。
【００２６】
４００はプロセッサである。このプロセッサ４００は、第二命令記憶手段２００および第三命令記憶手段３００が記憶する命令列を実行し、後述する周辺回路を制御する処理回路である。
【００２７】
５００は周辺回路である。
６００は制御手段である。制御手段６００は、第一命令記憶手段１００から第三命令記憶手段３００への命令列の転送と、命令転送時のプロセッサ４００の動作を制御する。
【００２８】
７００は周辺回路５００の初期化時にプロセッサ４００により実行される初期化命令列群である。この初期化命令列群７００は、第１〜第ｎの初期化命令列からなり、第一命令記憶手段１００で保持される。但し、ｎは自然数である。
【００２９】
８００は周辺回路５００の初期化後にプロセッサ４００により実行される第一命令列である。つまり、第一命令列は周辺回路の機能を実行するための命令列である。この第一命令列８００は第一命令記憶手段１００で保持される。
【００３０】
９００は周辺回路５００の初期化後にプロセッサ４００により実行される第二命令列である。つまり、第二命令列は周辺回路の機能を実行するための命令列である。この第二命令列９００は第二命令記憶手段２００で保持される。
【００３１】
以上のように構成された情報処理装置において、プロセッサ４００は、初期化開始時に制御手段６００へ初期化開始信号を通知する。初期化開始信号の通知を受けた制御手段６００は、第一命令記憶手段１００から第三命令記憶手段３００への初期化命令列群７００の転送と、命令転送時のプロセッサ４００の動作を制御する。プロセッサ４００は、第三命令記憶手段３００へ転送された初期化命令を実行して周辺回路５００を初期化し、命令実行終了時に制御手段６００へ実行終了信号を通知する。
【００３２】
制御手段６００は、すべての初期化命令列の実行完了を検知すると、第一命令記憶手段１００から第三命令記憶手段３００への第一命令列８００の転送と、命令転送時のプロセッサ４００の動作を制御する。プロセッサ４００は、第三命令記憶手段３００へ転送された第一命令列と第二命令記憶手段２００が保持する第二命令列を実行して周辺回路５００の機能を実施する。また、制御手段６００は、プロセッサ４００がこの命令の実行を開始すると、初期化開始信号待ちの状態へ戻る。
【００３３】
次に、制御手段６００の初期設定時における制御動作について図２を参照しながら詳説する。図２は、制御手段６００の初期設定時における制御動作の一例を示すフローチャート図である。
【００３４】
制御手段６００は、プロセッサ４００からの初期化開始信号待ちの状態となっている（ステップＳ６０１）。制御手段６００は、プロセッサ４００から初期化開始信号を受けると、第一命令記憶手段１００から第三命令記憶手段３００へ、まず第一初期化命令列を書き込み（転送し）、プロセッサ４００にこの初期化命令列を実行させる。そして、プロセッサ４００からこの第一初期化命令列の実行終了信号を受けると、第一命令記憶手段１００から第三命令記憶手段３００へ第二初期化命令列を転送し、プロセッサ４００にこの初期化命令列を実行させる。
【００３５】
このように、初期化時には、第一命令記憶手段が記憶する初期化命令列を順次第三命令記憶手段へ転送してプロセッサ４００に実行させていき、第ｎ初期化命令列の実行終了信号を受けるとステップＳ６０６へ進む（ステップＳ６０２〜ステップＳ６０５）。
【００３６】
制御手段６００は、第ｎ初期化命令列の実行終了を検知すると、第一命令記憶手段１００から第三命令記憶手段３００へ第一命令列８００を転送させ（ステップＳ６０６）、プロセッサ４００に第一命令列８００および第二命令列９００の実行を開始させ（ステップＳ６０７）、初期化開始信号待ちの状態へ戻る。
【００３７】
以上のように、本実施の形態１では、周辺回路５００の初期化命令を複数の初期化命令列に分割して第一命令記憶手段１００に記憶し、第三命令記憶手段３００へ順次転送してプロセッサ４００に実行させるので、第三命令記憶手段の記憶容量を、第一命令記憶手段１００に記憶される第一命令列のデータ量より大きくせずに済む。したがって、この情報処理装置をシステムＬＳＩで実現する場合、第一命令記憶手段である外部メモリに第一命令列と初期化命令列群とを記憶させ、第三命令記憶手段である書き換え可能メモリへ初期化命令列を順次転送してプロセッサに実行させることになるので、書き換え可能メモリの記憶容量を増加させることなく初期化命令を外部メモリに記憶させることができるようになる。よって、第二命令記憶手段である読み取り専用メモリの記憶容量を小さくすることができ、システムＬＳＩの面積を削減でき、コストを抑えることができるようになる。
【００３８】
さらに、各初期化命令列のデータ量を第一命令列のデータ量と等しくする、あるいは第一命令列のデータ量よりも小さくする。すなわち、各初期化命令列のすべてを第一命令列のデータ量と等しくすることができないときには、等しくできない分の初期化命令列のみ第一命令列のデータ量より小さくする、あるいは各初期化命令列のデータ量を第一命令列のデータ量より小さくする、あるいは各初期化命令列のデータ量を等しくし且つ第一命令列のデータ量より小さくする。
【００３９】
このようにすれば、データ転送量およびデータ転送回数を最適化でき、初期化に必要な時間を削減することができる。
（実施の形態２）
以下、本実施の形態２について図３、図４を参照しながら説明する。図３は本実施の形態２に係る情報処理装置の構成を示すブロック図である。なお、前述した実施の形態１と同じ構成を有する部材には同一の符号を付記して、説明を省略する。
【００４０】
図３において、２０００は情報入力手段である。この情報入力手段２０００からは、周辺回路５００の任意の機能を選択する情報が入力される。例えば、ホストがレジスタ設定時に周辺回路が有する機能の中から使用する機能を選択する場合に、その機能を指示する情報が入力される。
【００４１】
１６００は制御手段である。この制御手段１６００は、前述した実施の形態１の制御手段６００の機能に加えて、情報入力手段２０００から入力された情報を基に、第一命令記憶手段１００が記憶する初期化命令列群の中から、周辺回路５００が有する機能のうちの選択された機能を実行するのに必要な初期化命令列を選択してプロセッサ４００に実行させる機能を有する。
【００４２】
次に、制御手段１６００の初期設定時における制御動作について図４を参照しながら詳説する。図４は、制御手段１６００の初期設定時における制御動作の一例を示すフローチャート図である。
【００４３】
制御手段１６００は、プロセッサ４００からの初期化開始信号待ちの状態となっている（ステップＳ１６０１）。制御手段１６００は、プロセッサ４００から初期化開始信号を受けると、情報入力手段２０００より入力された情報を取得し（ステップＳ１６０２）、この情報を基に、まず第一初期化命令列の実効が必要か否かの判定を行い、必要でなければ、第二初期化命令列の実効が必要か否かの判定を行う。第一初期化命令列の実効が必要であれば、第一命令記憶手段１００から第三命令記憶手段３００へ第一初期化命令列を書き込み（転送し）、プロセッサ４００にこの初期化命令列を実行させ、プロセッサ４００からこの第一初期化命令列の実行終了信号を受けると、第二初期化命令列の実効が必要か否かの判定を行う。
【００４４】
このように、初期化時に、第一命令記憶手段が記憶する初期化命令列それぞれについて実行の必要性を判定していく。そして、第ｎ初期化命令列の判定終了後、もしくは第ｎ初期化命令列の実行終了信号を受けるとステップＳ１６０８へ進む（ステップＳ１６０３〜ステップＳ１６０７）。
【００４５】
制御手段６００は、第ｎ初期化命令列の判定終了後、もしくは第ｎ初期化命令列の実行終了を検知すると、第一命令記憶手段１００から第三命令記憶手段３００へ第一命令列８００を転送させ（ステップＳ１６０８）、プロセッサ４００に第一命令列８００および第二命令列９００の実行を開始させ（ステップＳ１６０９）、初期化開始信号待ちの状態へ戻る。
【００４６】
以上のように、本実施の形態２では、情報入力手段より入力された情報を基に、制御手段が初期化命令列を選択的に転送することができる。これにより、実行する必要がない初期化命令列の書き込み処理を省略することができるので、初期化に必要な時間を削減することができる。
【００４７】
なお、実施の形態１および２では、周辺回路の初期化後に実行される命令列を第一および第二命令記憶手段に記憶する場合を例に説明したが、第二命令記憶手段のみに記憶する場合であっても、第三命令記憶手段の記憶容量を小さくすることができるので、システムＬＳＩで実現する場合に、書き換え可能メモリの記憶容量を増加させることなく初期化命令を外部メモリに記憶させることができるようになる。
【００４８】
また、この場合、第一命令記憶手段から第三命令記憶手段への転送速度と初期化命令のデータ量より各初期化命令列の最適なデータ量を求める。
【産業上の利用可能性】
【００４９】
以上のように、本発明に係る情報処理装置は、読み取り専用メモリと書き換え可能メモリとを命令メモリとするプロセッサを有し、書き換え可能メモリに記憶する命令のモジュールを書き換えるようなシステムＬＳＩ等の集積回路に適用できる。
【図面の簡単な説明】
【００５０】
【図１】本発明の実施の形態１に係る情報処理装置の一構成例を示すブロック図
【図２】本発明の実施の形態１に係る情報処理装置の制御手段の初期設定時における制御動作の一例を示すフローチャート図
【図３】本発明の実施の形態２に係る情報処理装置の一構成例を示すブロック図
【図４】本発明の実施の形態２に係る情報処理装置の制御手段の初期設定時における制御動作の一例を示すフローチャート図
【図５】従来の情報処理装置をシステムＬＳＩで実現した場合の構成を示すブロック図
【図６】従来の情報処理装置をシステムＬＳＩで実現した場合の構成を示すブロック図
【図７】従来の情報処理装置をシステムＬＳＩで実現した場合の構成を示すブロック図
【符号の説明】
【００５１】
１００    第一命令記憶手段
２００    第二命令記憶手段
３００    第三命令記憶手段
４００    プロセッサ（処理回路）
５００    周辺回路
６００、１６００    制御手段
７００    初期化命令列群
８００    第一命令列
９００    第二命令列
２０００    情報入力手段
３０００    外部メモリ
３００１    読み取り専用メモリ（ＲＯＭ）
３００２    書き換え可能メモリ（ＲＡＭ）
３００３    初期化命令
３００４    プロセッサ
３００５    制御手段
３００６    周辺回路
【図１】
2005038174.tif 000003
【図２】
2005038174.tif 000004
【図３】
2005038174.tif 000005
【図４】
2005038174.tif 000006
【図５】
2005038174.tif 000007
【図６】
2005038174.tif 000008
【図７】
2005038174.tif 000009